【手続補正書】
【提出日】平成18年1月6日(2006.1.6)
【手続補正１】
【補正対象書類名】明細書
【補正対象項目名】発明の名称
【補正方法】変更
【補正の内容】
【発明の名称】情報管理システム、および記録媒体
【手続補正２】
【補正対象書類名】明細書
【補正対象項目名】特許請求の範囲
【補正方法】変更
【補正の内容】
【特許請求の範囲】
【請求項１】  コンテンツの出力を指示するための操作が行なわれる操作手段と、
前記操作に対するコンテンツの出力セキュリティ情報を記録する記録手段と、
前記記録手段のセキュリティ情報に基づいてコンテンツを出力装置へ出力するかどうかの判定を行なう判定手段とを備えることを特徴とする情報管理システム。
【請求項２】  コンテンツの登録、管理、閲覧が可能な情報管理システムであって、
コンテンツ毎に対応づけられコンテンツ毎に異なる出力形態毎のセキュリティ情報が記録された記録手段と、
選択されたコンテンツに対して選択指示された出力形態が前記セキュリティ情報に基づいて当該出力形態でもって出力可能か否かを判定する判定手段と、
前記判定手段の結果に基づいて選択されたコンテンツを所要する出力形態でもって出力する出力手段とを備えたことを特徴とする情報管理システム。
【請求項３】  前記記録手段は、複数設けられた特定の出力形態個々に対応したコンテンツのセキュリティ情報も記録されていると共に、前記判定手段は、その特定の出力形態個々に対応したコンテンツのセキュリティ情報に基づいて出力可能か否かの判定をも行なうことを特徴とする請求項１または２記載の情報管理システム。
【請求項４】  前記記録手段は、コンテンツ情報の各項目毎に設定された出力可否情報とフォーマット名とを対応付けた出力フォーマット情報も記録されると共に、前記特定の出力形態個々に所望する該フォーマット名をも記録されてなり、選択されたコンテンツを特定の出力形態でもって出力する際に、設定されたフォーマット名と設定された出力フォーマット情報とに基づいてコンテンツ情報が選択的に出力可能とするフィルタ手段を有したことを特徴とする請求項３記載の情報管理システム。
【請求項５】  プリンタ装置を複数有し、前記特定の出力形態が、該プリンタで出力される印刷であることを特徴とする請求項３または４記載の情報管理システム。
【請求項６】  コンテンツの出力を指示するための操作が行なわれる操作手段と、
前記操作に対するコンテンツの出力セキュリティ情報を記録する記録手段と、
前記記録手段のセキュリティ情報に基づいてコンテンツを出力装置へ出力するかどうかの判定を行なう判定手段とを備えてなり、コンピュータを前記操作手段と前記記録手段と前記判定手段として機能させるためのプログラムを記録した記録媒体。
【請求項７】  コンテンツの登録、管理、閲覧が可能な情報管理システムを制御する記録媒体であって、
コンテンツ毎に対応づけられコンテンツ毎に異なる出力形態毎のセキュリティ情報を記録する記録手段と、
選択されたコンテンツに対して選択指示された出力形態が前記セキュリティ情報に基づいて当該出力形態でもって出力可能か否かを判定する判定手段と、
前記判定手段の結果に基づいて選択されたコンテンツを所要する出力形態でもって出力する出力手段とを備えてなり、コンピュータを前記記録手段と前記判定手段と前記出力手段として機能させるためのプログラムを記録した記録媒体。
【請求項８】  前記記録手段は、複数設けられた特定の出力形態個々に対応したコンテンツのセキュリティ情報も記録すると共に、前記判定手段は、その特定の出力形態個々に対応したコンテンツのセキュリティ情報に基づいて出力可能か否かの判定をも行なう処理を有したことを特徴とする請求項６または７記載の記録媒体。
【請求項９】  前記記録手段は、コンテンツ情報の各項目毎に設定された出力可否情報とフォーマット名とを対応付けた出力フォーマット情報も記録すると共に、前記特定の出力形態個々に所望する該フォーマット名をも記録し、選択されたコンテンツを特定の出力形態でもって出力する際に、設定されたフォーマット名と設定された出力フォーマット情報とに基づいてコンテンツ情報が選択的に出力可能とするフィルタ手段を有したことを特徴とする請求項８記載の記録媒体。
【手続補正３】
【補正対象書類名】明細書
【補正対象項目名】００１２
【補正方法】変更
【補正の内容】
【００１２】
【課題を解決するための手段】
上記課題を達成するため、請求項１の発明は、コンテンツの出力を指示するための操作が行なわれる操作手段と、前記操作に対するコンテンツの出力セキュリティ情報を記録する記録手段と、前記記録手段のセキュリティ情報に基づいてコンテンツを出力装置へ出力するかどうかの判定を行なう判定手段とを備えることを特徴とする情報管理システムにある。
【手続補正４】
【補正対象書類名】明細書
【補正対象項目名】００１３
【補正方法】変更
【補正の内容】
【００１３】
請求項２の発明は、コンテンツの登録、管理、閲覧が可能な情報管理システムであって、コンテンツ毎に対応づけられコンテンツ毎に異なる出力形態毎のセキュリティ情報が記録された記録手段と、選択されたコンテンツに対して選択指示された出力形態が前記セキュリティ情報に基づいて当該出力形態でもって出力可能か否かを判定する判定手段と、前記判定手段の結果に基づいて選択されたコンテンツを所要する出力形態でもって出力する出力手段とを備えたことを特徴とする情報管理システムにある。
【手続補正５】
【補正対象書類名】明細書
【補正対象項目名】００１５
【補正方法】変更
【補正の内容】
【００１５】
請求項３の発明は、請求項１または２において、前記記録手段は、複数設けられた特定の出力形態個々に対応したコンテンツのセキュリティ情報も記録されていると共に、前記判定手段は、その特定の出力形態個々に対応したコンテンツのセキュリティ情報に基づいて出力可能か否かの判定をも行なうことを特徴とする情報管理システムにある。
【手続補正６】
【補正対象書類名】明細書
【補正対象項目名】００１８
【補正方法】変更
【補正の内容】
【００１８】
請求項４の発明は、請求項３において、前記記録手段は、コンテンツ情報の各項目毎に設定された出力可否情報とフォーマット名とを対応付けた出力フォーマット情報も記録されると共に、前記特定の出力形態個々に所望する該フォーマット名をも記録されてなり、選択されたコンテンツを特定の出力形態でもって出力する際に、設定されたフォーマット名と設定された出力フォーマット情報とに基づいてコンテンツ情報が選択的に出力可能とするフィルタ手段を有したことを特徴とする情報管理システムにある。
【手続補正７】
【補正対象書類名】明細書
【補正対象項目名】００２０
【補正方法】変更
【補正の内容】
【００２０】
請求項５の発明は、請求項３または４において、プリンタ装置を複数有し、前記特定の出力形態が、該プリンタで出力される印刷であることを特徴とする情報管理システムにある。
【手続補正８】
【補正対象書類名】明細書
【補正対象項目名】００２１
【補正方法】変更
【補正の内容】
【００２１】
請求項６の発明は、コンテンツの出力を指示するための操作が行なわれる操作手段と、前記操作に対するコンテンツの出力セキュリティ情報を記録する記録手段と、前記記録手段のセキュリティ情報に基づいてコンテンツを出力装置へ出力するかどうかの判定を行なう判定手段とを備えてなり、コンピュータを前記操作手段と前記記録手段と前記判定手段として機能させるためのプログラムを記録した記録媒体にある。
【手続補正９】
【補正対象書類名】明細書
【補正対象項目名】００２２
【補正方法】変更
【補正の内容】
【００２２】
請求項７の発明は、コンテンツの登録、管理、閲覧が可能な情報管理システムを制御する記録媒体であって、コンテンツ毎に対応づけられコンテンツ毎に異なる出力形態毎のセキュリティ情報を記録する記録手段と、選択されたコンテンツに対して選択指示された出力形態が前記セキュリティ情報に基づいて当該出力形態でもって出力可能か否かを判定する判定手段と、前記判定手段の結果に基づいて選択されたコンテンツを所要する出力形態でもって出力する出力手段とを備えてなり、コンピュータを前記記録手段と前記判定手段と前記出力手段として機能させるためのプログラムを記録した記録媒体にある。
【手続補正１０】
【補正対象書類名】明細書
【補正対象項目名】００２３
【補正方法】変更
【補正の内容】
【００２３】
請求項８の発明は、請求項６または７において、前記記録手段は、複数設けられた特定の出力形態個々に対応したコンテンツのセキュリティ情報も記録すると共に、前記判定手段は、その特定の出力形態個々に対応したコンテンツのセキュリティ情報に基づいて出力可能か否かの判定をも行なう処理を有したことを特徴とする記録媒体にある。
【手続補正１１】
【補正対象書類名】明細書
【補正対象項目名】００２４
【補正方法】変更
【補正の内容】
【００２４】
請求項９の発明は、請求項８において、前記記録手段は、コンテンツ情報の各項目毎に設定された出力可否情報とフォーマット名とを対応付けた出力フォーマット情報も記録すると共に、前記特定の出力形態個々に所望する該フォーマット名をも記録し、選択されたコンテンツを特定の出力形態でもって出力する際に、設定されたフォーマット名と設定された出力フォーマット情報とに基づいてコンテンツ情報が選択的に出力可能とするフィルタ手段を有したことを特徴とする記録媒体にある。